(57)【要約】【課題】ＢＶユニット部内に紙幣が有る玉貸出処理機のみを解錠対象とすることにより、紙幣回収作業効率の向上を図ることができる遊技媒体貸出システムを提供する。【解決手段】貸出処理機本体２１に対して着脱自在に構成されるＢＶユニット部５０と、紙幣の有無を検知する紙幣検知センサ５４と、紙幣収納ユニットに対する施錠をおこなうロック機構部５３とを備え、管理サーバ２００は、玉貸出処理機２０に対する紙幣の回収指示を設定する紙幣回収指示設定部２３０により複数の玉貸出処理機２０に対して紙幣の回収指示をおこなうとともに、紙幣収納部５１内に紙幣が有る玉貸出処理機２０のみを解錠の対象とする。【選択図】      図８
2005013617.tif 000002
【特許請求の範囲】
【請求項１】
複数の遊技機に並設されるとともに、紙幣の受け入れにより、当該遊技機に対する遊技媒体の貸し出し処理をおこなう貸出処理機を備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記紙幣収納ユニット内に収納される紙幣の有無を検知する紙幣有無検知手段と、
前記紙幣収納ユニットを取り出し阻止状態に施錠するロック機構部と、
解錠指示を受けると、前記紙幣有無検知手段が紙幣有りを検知していることを条件に、前記ロック機構部によって施錠された前記紙幣収納ユニットの解錠を許容する解錠制御手段とを備えることを特徴とする遊技媒体貸出システム。
【請求項２】
複数の遊技機に並設されるとともに、紙幣の受け入れにより、当該遊技機に対する遊技媒体の貸し出し処理をおこなう貸出処理機と前記紙幣による入金情報を売上金額として取得する管理装置を備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記紙幣収納ユニット内に収納される紙幣の有無を検知する紙幣有無検知手段と、
前記紙幣収納ユニットを取り出し阻止状態に施錠するロック機構部と、
解錠指示を受けると、前記紙幣有無検知手段が紙幣有りを検知していることを条件に、前記ロック機構部によって施錠された前記紙幣収納ユニットの解錠をおこなう解錠制御手段とを備え、
前記管理装置は、
前記貸出処理機に対して、前記紙幣の回収にともなう、前記ロック機構部に対する解錠指示を設定する紙幣回収指示設定手段を備えることを特徴とする遊技媒体貸出システム。
【請求項３】
遊技島を形成する複数の遊技機に並設されるとともに、紙幣の受け入れにより、当該遊技機に対する遊技媒体の貸し出し処理をおこなう貸出処理機と、遊技島内に配置されて当該遊技島に設置される前記貸出処理機と通信可能に接続される島操作装置とを備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記紙幣収納ユニット内に収納される紙幣の有無を検知する紙幣有無検知手段と、
前記紙幣収納ユニットを取り出し阻止状態に施錠するロック機構部と、
解錠指示を受けると、前記紙幣有無検知手段が紙幣有りを検知していることを条件に、前記ロック機構部によって施錠された前記紙幣収納ユニットの解錠をおこなう解錠制御手段とを備え、
前記島操作装置は、
前記貸出処理機に対して、前記紙幣の回収にともなう、前記ロック機構部に対する解錠指示を設定する紙幣回収指示設定手段を備えることを特徴とする遊技媒体貸出システム。
【請求項４】
遊技島を形成する複数の遊技機に並設されるとともに、紙幣の受け入れにより、当該遊技機に対する遊技媒体の貸し出し処理をおこなう貸出処理機と、前記貸出処理機と通信可能な無線式の遠隔操作装置を備えた遊技媒体貸出システムにおいて、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記紙幣収納ユニット内に収納される紙幣の有無を検知する紙幣有無検知手段と、
前記紙幣収納ユニットを取り出し阻止状態に施錠するロック機構部と、
解錠指示を受けると、前記紙幣有無検知手段が紙幣有りを検知していることを条件に、前記ロック機構部によって施錠された前記紙幣収納ユニットの解錠をおこなう解錠制御手段とを備え、
前記遠隔操作装置は、
前記貸出処理機に対して、前記紙幣の回収にともなう、前記ロック機構部に対する解錠指示を設定する紙幣回収指示設定手段を備えることを特徴とする遊技媒体貸出システム。
【請求項５】
前記紙幣回収指示設定手段は、前記複数の貸出処理機のうち、前記紙幣有無検知手段により紙幣収納ユニット内に紙幣が有ると検知された貸出処理機のみを解錠対象とする一部解錠設定手段と、複数の貸出処理機全台を解錠対象とする全台解錠設定手段とを備えることを特徴とする請求項２から４のいずれか一つに記載の遊技媒体貸出システム。
【請求項６】
前記紙幣収納ユニットに収納された紙幣の収納枚数を検知する収納枚数判定手段をさらに備え、当該収納枚数判定手段により検知された収納枚数に基づいて、前記解錠制御手段による解錠機能が有効となり、前記ロック機構部による解錠が実行されることを特徴とする請求項１から５のいずれか一つに記載の遊技媒体貸出システム。
【請求項７】
前記紙幣有無検知手段により検知された紙幣の有無を報知する表示手段をさらに備えることを特徴とする請求項１から６のいずれか一つに記載の遊技媒体貸出システム。
【発明の詳細な説明】
【０００１】
【発明の属する技術分野】
本発明は、紙幣の受け入れにより、遊技機に対して遊技媒体を貸出す遊技媒体貸出システムに関し、特に、紙幣収納ユニット内に紙幣が有る貸出処理機のみを紙幣回収時の解錠対象とすることにより、紙幣回収作業効率の向上を図ることができる遊技媒体貸出システムに関する。
【０００２】
【従来の技術】
現在、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。
【０００３】
この従来の遊技媒体貸出システムでは、遊技機に隣接した位置にプリペイドカードを挿入するカード処理ユニットが並設され、このカード処理ユニットおよびカード発行機はターミナルコントローラ（ＴＣ）などの管理装置に接続されている。そして、カード発行機によるカードの売上情報とカード処理ユニットによるカードの利用情報を収集することにより遊技店の総売上金額を管理するシステムが構築されている。
【０００４】
また、従来より、プリペイドカードなどのカード媒体を使用する遊技媒体貸出システムの他、紙幣の投入によって遊技機に対して遊技媒体を貸出す遊技媒体貸出システムも知られている。ここで、例えば、玉貸出機やメダル貸出機には、遊技客により投入された紙幣を収納する紙幣収納ユニットが備えられており、通常、この紙幣収納ユニットは、鍵を使用したロック機構により施錠されている。このため、遊技店の閉店時などには、店員による解錠により紙幣収納ユニット内に収納されている紙幣の回収をおこなうものとなる。ところが、従来の鍵による施錠方式の場合には、紙幣の回収時に各玉貸出処理機の鍵をその都度、解錠する必要があるため、紙幣の回収作業に手間（時間）がかかり作業効率の面で問題があった。
【０００５】
上述した問題を解決すべく、従来技術として、複数のパチンコ機が配設された島の端部に玉貸出処理機の解錠をおこなう解錠操作装置を設け、この解錠操作装置により、複数の玉貸出処理機に対する解錠を一斉におこなう技術が開示されている（例えば、特許文献１参照）。
【０００６】
【特許文献１】
特開２００２−３３６４１８号公報
【０００７】
【発明が解決しようとする課題】
ところが、上述した従来の玉貸出処理機における解錠方法の場合には、以下のような問題点がある。すなわち、従来公報に記載された技術によると、解錠操作装置による操作により、複数台の玉貸出処理機に対する解錠を一斉におこなうことができるため、従来のように、鍵による施錠は必要としないが、その反面、紙幣収納ユニット内に紙幣が存在せず、解錠を必要としない玉貸出処理機の解錠も同時におこなってしまうため、解錠後の玉貸出処理機に対する施錠作業が必要となり、作業効率が悪いという問題がある。
【０００８】
また、上記パチンコ遊技による従来技術の他、パチスロ機においては、メダル貸出処理機内の紙幣収納ユニットに紙幣が収納されていることを表示部に表示し、この表示に基づいて紙幣の回収をおこなう技術も知られている。ところが、この場合には、紙幣の収納有り表示をその都度確認しながら、鍵を使用し、個別に解錠作業をおこなう必要があるため、回収作業に手間がかかるうえ、やはり作業効率が悪いという問題がある。
【０００９】
この発明は、上記従来技術による課題を解決するためになされたものであり、紙幣収納ユニット内に紙幣が収納されている貸出処理機だけを解錠対象とすることにより、紙幣回収作業の効率を向上できる遊技媒体貸出システムを提供することを目的とする。
【００１０】
【課題を解決するための手段】
本発明は、上記目的を達成するためになされたものである、請求項１に記載の発明は、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠を許容する解錠制御手段とを備えることを特徴とする。
【００１１】
また、請求項２に記載の発明は、複数の遊技機に並設されるとともに、紙幣の受け入れにより、当該遊技機に対する遊技媒体の貸し出し処理をおこなう貸出処理機と前記紙幣による入金情報を売上金額として取得する管理装置を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記管理装置は、前記貸出処理機に対して、前記紙幣の回収にともなう、前記ロック機構部に対する解錠指示を設定する紙幣回収指示設定手段を備えることを特徴とする。
【００１２】
また、請求項３に記載の発明は、遊技島を形成する複数の遊技機に並設されるとともに、紙幣の受け入れにより、当該遊技機に対する遊技媒体の貸し出し処理をおこなう貸出処理機と、遊技島内に配置されて当該遊技島に設置される前記貸出処理機と通信可能に接続される島操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記島操作装置は、前記貸出処理機に対して、前記紙幣の回収にともなう、前記ロック機構部に対する解錠指示を設定する紙幣回収指示設定手段を備えることを特徴とする。
【００１３】
また、請求項４に記載の発明は、遊技島を形成する複数の遊技機に並設されるとともに、紙幣の受け入れにより、当該遊技機に対する遊技媒体の貸し出し処理をおこなう貸出処理機と、前記貸出処理機と通信可能な無線式の遠隔操作装置を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記遠隔操作装置は、前記貸出処理機に対して、前記紙幣の回収にともなう、前記ロック機構部に対する解錠指示を設定する紙幣回収指示設定手段を備えることを特徴とする。
【００１４】
また、請求項５に記載の発明は、請求項２から４のいずれか一つに記載の発明において、前記紙幣回収指示設定手段は、前記複数の貸出処理機のうち、前記紙幣有無検知手段により紙幣収納ユニット内に紙幣が有ると検知された貸出処理機のみを解錠対象とする一部解錠設定手段と、複数の貸出処理機全台を解錠対象とする全台解錠設定手段とを備えることを特徴とする。
【００１５】
また、請求項６に記載の発明は、請求項１から５のいずれか一つに記載の発明において、前記紙幣収納ユニットに収納された紙幣の収納枚数を検知する収納枚数判定手段をさらに備え、当該収納枚数判定手段により検知された収納枚数に基づいて、前記解錠制御手段による解錠機能が有効となり、前記ロック機構部による解錠が実行されることを特徴とする。
【００１６】
また、請求項７に記載の発明は、請求項１から６のいずれか一つに記載の発明において、前記紙幣有無検知手段により検知された紙幣の有無を報知する表示手段をさらに備えることを特徴とする。
【００１７】
また、請求項７に記載の発明は、請求項１から６のいずれか一つに記載の発明において、前記紙幣有無検知手段により検知された紙幣の有無を報知する表示手段をさらに備えることを特徴とする。
【００１８】
【発明の実施の形態】
以下に添付図面を参照して、この発明に係る遊技媒体貸出システムの好適な実施の形態を詳細に説明する。なお、以下に示す実施の形態では、本発明に係る遊技媒体貸出システムをパチンコ遊技に適用した場合を示すこととする。ここで、本実施の形態１の特徴は、管理サーバ２００の制御部２１５に玉貸出処理機２０に対する紙幣回収指示を設定する紙幣回収指示設定部２３０を備えるとともに、紙幣収納部５１内に紙幣が有ると判断された玉貸出処理機２０のみを解錠対象とすることにある。
【００１９】
（実施の形態１）
以下、本実施の形態１に係る遊技媒体貸出システムの概要を説明する。図１は、本発明の実施の形態１に係る遊技媒体貸出システムの概要を示す説明図である。図２は、本発明の実施の形態１に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００２０】
すなわち、図１、２に示すように、この遊技媒体貸出システムでは、それぞれ「島」と呼ばれるグループごとに複数の遊技機（以下、『パチンコ機』と称する）が並設されるとともに、これらパチンコ機１０にはそれぞれ１台ずつペアとなるように遊技媒体貸出処理機（以下、『玉貸出処理機』と称する）がパチンコ機１０の相互間に挟まれるように据置されており、遊技客により各玉貸出処理機２０に投入された紙幣（現金）による入金情報は売上情報として、中継器３００を介して接続された管理サーバ２００に対して送信され、この管理サーバ２００により各玉貸出処理機２０の売上情報（金額）が個別に管理されている。ここで、本例による入金情報は１０００円単位の現金情報としている。
【００２１】
さらに、この管理サーバ２００は、第三者機関である中央管理装置１００に接続され、管理サーバ２００により集計された各玉貸出処理機２０の売上情報は、中央管理装置１００に対して送信される。以上のように、中央管理装置１００により複数の遊技店（遊技店Ａ、Ｂ、Ｃ・・）の総売上金額を統括的に管理する遊技媒体貸出システムが構築されている。
【００２２】
このため、玉貸出処理機２０および枠体３０のそれぞれには、予め個別の識別ＩＤ（玉貸出処理機２０の識別ＩＤ、枠体３０の枠体識別ＩＤ）が付与されており、これら２つの識別ＩＤは、遊技店の開店時（玉貸出処理機２０の電源ＯＮ時）、この玉貸出処理機２０から管理サーバ２００に対して通信により通知され、管理サーバ２００内に設けられた管理サーバデータベース２１０内に自動的に登録され、以降、各玉貸出処理機２０は、遊技客により投入された紙幣による入金毎に管理サーバ２００に対して入金額（売上金額）をリアルタイムに通知するものとなる。
【００２３】
一方、管理サーバ２００では、玉貸出処理機２０からの通信情報（売上金額）を受信し、玉貸出処理機２０の識別ＩＤに関連付けて、更新および集計をおこなう。なお、遊技店内には遊技機１０および玉貸出処理機２０に接続されたホールコンピュータ（図示せず）が備えられており、このホールコンピュータにより賞球、出球率など遊技情報に基づいて遊技店内の総売上を管理するものとしている。
【００２４】
以下、本実施の形態１における構成要素の詳細を説明する。すなわち、本実施の形態１における玉貸出処理機２０は、遊技客により投入された紙幣（１０００円札の現金）により所定の遊技玉を投出するように遊技機へ指示する機能とともに、この紙幣投入時の入金情報をメモリ２７内（図８）に一時記憶し、この入金情報を売上情報としてリアルタイムで管理サーバ２００に通知する機能を備えている。
【００２５】
このため、各玉貸出処理機２０と管理サーバ２００とは中継器３００を介して通信自在に構成されている。前述したように、本例では玉貸出処理機２０に投入する紙幣としては、１０００円紙幣を対象としている。
【００２６】
中継器３００（ＨＵＢ）は、各「島」内に１基づつ据置されており、各「島」内のネットワークケーブルを束ねる集線装置（コンセントレータ）としての機能を備えている。本システムでは、それぞれの中継器３００は、シリアル接続（ディジーチェーン）により構成されている。
【００２７】
図３に示すように、管理サーバ２００は、管理サーバデータベース２１０、制御部２１５、表示部２１６、通信Ｉ／Ｆ２２０とを備えている。この管理サーバ２００は、各貸出処理機２０に投入された紙幣による入金情報を個別の売上情報として取得する機能を備えている。具体的には、各玉貸出処理機２０の識別ＩＤに基づいて、個々の玉貸出処理機２０毎に投入された紙幣による入金情報を売上情報として集計し管理する機能を備えている。玉貸出処理機２０による売上情報は、リアルタイムで管理サーバ２００に送信され、管理サーバ２００内に備えた管理サーバデータベース２１０に格納されるものとなる。
【００２８】
ここで、詳細は、後述するが、管理サーバ２００には紙幣回収指示設定部２３０が設けられており、この紙幣回収指示設定部２３０により玉貸出処理機２０に対する紙幣の回収にともなうロック機構部５３によるロック解錠を制御する機能を備えている。
【００２９】
入力部２１７は、管理サーバ２００により制御（指示）される各種の設定を入力する入力手段であり、キーボード（テンキー）、マウス、トラックボールなどにより構成される。この管理サーバ２００による入力部２１７の操作は、遊技店を管理する管理責任者（経営者、店長等）によりおこなわれる。
【００３０】
表示部２１６は、管理サーバ２００の操作をおこなう管理責任者に対して、メニュー画面４００（図１６）等を表示として出力する出力手段であり、モニタなどにより構成される。本例において、この表示部２１６は、紙幣回収指示設定画面として機能する。
【００３１】
通信Ｉ／Ｆ２２０は、玉貸出処理機２０の通信Ｉ／Ｆ２６（図８）を介して各玉貸出処理機２０による売上情報を通信により受信する機能および中央管理装置１００の通信Ｉ／Ｆ１３０（図４）を介して管理サーバ２００により集計された各玉貸出処理機２０の売上情報を送信する機能を備えている。なお。この管理サーバ２００は、中央管理装置１００を管理する第三者機関により設置される。
【００３２】
図４に示すように、中央管理装置１００は、中央管理制御部１１０、表示部１１５、通信Ｉ／Ｆ１３０、遊技店管理データベース１２０とを備えている。この中央管理装置１００は、各遊技店（遊技店Ａ、Ｂ、Ｃ・・）に配置された管理サーバ２００との間で相互に通信をおこなうことにより、主として、管理サーバ２００が取得した玉貸出処理機２０の売上情報に基づいて、各遊技店毎の総売上集計、各玉貸出処理機２０の管理などをおこなう機能を備えている。具体的には、管理サーバ２００から送信される各玉貸出処理機２０による売上情報が遊技店の総売上情報として、遊技店管理データベース１２０内に格納することができる。
【００３３】
次に、図５〜８を参照して玉貸出処理機２０およびパチンコ機１０における構成の詳細について説明する。図５は、図２に示した遊技媒体貸出システムで適用する玉貸出処理機２０およびパチンコ機１０の外観正面図、図６は、玉貸出処理機２０を示す側面図（枠体３０との連結状態）、図７は、枠体３０と玉貸出処理機２０との分離状態を示す図をそれぞれ示している。図８は、玉貸出処理機２０の概要構成を示す機能ブロック図である。また、図９は、リモコン操作によるＢＶユニット部の着脱状態を示す斜視図を示している。また、図１１（ａ）、（ｂ）は、本発明の遊技媒体貸出システムに適用されるリモコンの外観を示す外観図である。
【００３４】
すなわち、図５に示すように、玉貸出処理機２０は、外見上縦長に構成したもので、貸出処理機本体部２１と、この本体部２１よりも前方（図６の右側）に向けて僅かに突出するように形成されたＢＶユニット部５０とを備えている。
【００３５】
後述するように、このＢＶユニット部５０は、リモコンによる解錠操作により本体部２１から自動的に取り出し可能に構成されている。また、玉貸出処理機２０の本体部２１の前面パネルには、表示ランプ部２２、表示部２３、リモコン用受光部２４とを備えている。
【００３６】
ここで、図６、７に示すように、この玉貸出処理機２０は遊技店内に取り付け固定された枠体３０に対して着脱自在となっており、具体的には、玉貸出処理機２０を枠体３０に対して連結させ玉貸出処理機２０および枠体３０の上下に位置するコネクタを相互に嵌め込むことにより、この玉貸出処理機２０をパチンコ機１０に隣接した位置に据置することができる。
【００３７】
表示ランプ部２２は、玉貸出処理機２０の稼働状態を３色（緑色、赤色、黄色）のランプにより報知する機能を備えている。具体的に説明すると、緑色ランプの点灯は、正常動作を、赤色ランプの点灯は、玉貸出処理機２０に何らかの異常が発生したとき、黄色ランプの点灯は、通信経路の断線で状態をあらわすオフライン状態をそれぞれ示している。
【００３８】
表示部２３は、玉貸出処理機２０のエラー状態をエラーコードなどで表示する機能を備えている。リモコン用受光部２４は、フォトダイオード  リモコンにより送信された送信信号に基づいて、玉貸出処理機２０のエラー状態をリセットするエラーリセット信号、解錠許可信号を受信する機能を備えている。後述するように、リモコンによる解錠許可信号を受信した際には、ＢＶユニット部５０におけるＢＶロック機構部５３によるロック（施錠）が解錠されるものとなる。
【００３９】
制御部２５は、玉貸出処理機２０における各処理を一括してコントロールする制御機能を備えており、制御部２５内の処理を実現するにあたって必要なプログラムおよびデータは、記憶部（図示せず）内に格納されており、制御部２５は、必要に応じてこれらを読み出すことにより各処理を実行する。玉貸制御部７０は、パチンコ機１０に対して貸し玉の投出を指示する機能を備えている。
【００４０】
通信Ｉ／Ｆ２６（インターフェース）は、管理サーバ２００に対して各玉貸出処理機２０による売上情報をリアルタイム通信により送信する機能を備えている。メモリ２７は、売上情報を記憶する機能を備えており、このメモリ２７の内部には、パチンコ機１０の遊技台番号に対応するとともに、玉貸出処理機２０の識別ＩＤおよび枠体３０の識別ＩＤに関連付けた入金情報を格納する売上情報記憶テーブル２８が設けられている。８０は、玉貸出処理機２０に対して、ＡＣ電源（１００Ｖ）による電圧を供給するための電源部である。
【００４１】
ＢＶユニット部５０は、紙幣投入口１５、紙幣収納部５１、紙幣識別部５２、紙幣検知センサ５４、紙幣有無判定部５５とを備えている。紙幣投入口１５は、紙幣（本例では、１０００円札）を受け入れて、この紙幣を紙幣収納部５１に取り込むための開口である。紙幣収納部５１は、遊技客により紙幣投入口１５から投入された紙幣を収納する機能を備えている。つまり、本例では、店員により紙幣収納部５１内に収納された紙幣を回収するようにしている。このため、本例では、紙幣回収用の紙幣搬送路および紙幣を回収する紙幣回収ボックスが不要となる。
【００４２】
紙幣識別部５２は、遊技客により紙幣投入口１５から投入された紙幣に対する金額情報の判定（識別）および金額情報を記憶する紙幣処理機能を備えており、遊技客により投入された紙幣を受け入れて識別し、正常と判定される紙幣については、その識別結果および金額情報は制御部２５に通知される。一方、投入された紙幣が識別不能な紙幣については、紙幣投入口１５を通じて返却するものとなる。
【００４３】
紙幣検知センサ５４は、紙幣収納部５２内に紙幣が有るか否かを検知するセンサである。また、紙幣有無判定部５５は、紙幣検知センサ５４による検知結果に基づいて、紙幣収納部５１内に紙幣が有るか否かを判定する機能を備えている。紙幣収納枚数検知センサ５７は、紙幣収納部５１内に有る紙幣の収納枚数を検知する機能を備えている。
【００４４】
ＢＶユニット制御部５６は、紙幣検知センサ５４による検知および紙幣有無判定部５５による判定結果に基づいて、ロック機構部５３によるロック（施錠）を制御する機能を備えている。具体的に、本例では、紙幣検知センサ５４により、収納部５２内に紙幣が有る場合には、この玉貸出処理機２０は、解錠対象とする。具体的には、後述するように、ロック機構部を構成するソレノイド６０に通電をし、この通電によりロック機構の解錠をおこなう。
【００４５】
ＢＶロック機構部５３は、ＢＶユニット部５０の施錠をおこなう機構を備えており、このＢＶロック機構部５３によるロック（施錠）の解錠は、遊技店の管理者が所持する管理者用リモコン９０による解錠操作によりおこなわれる。このＢＶロック機構部５３の概略については、後述する。
【００４６】
一方、枠体３０の上部位置には、ジョイント制御基板３１が設けられており、このジョイント基板３１は、玉貸出処理機２０を入れ替えた際および通信状態の断線時（オフライン時）の売上情報（データ）の保存用として機能するメモリ３３を備えている。このメモリ３２の内部には、パチンコ機１０の遊技台番号に対応するとともに、玉貸出処理機２０の識別ＩＤおよび枠体３０の識別ＩＤに関連付けた入金情報を格納する売上情報記憶テーブル３３が設けられている。
【００４７】
また、遊技機であるパチンコ機１０はその前面が遊技領域１１および下方に設けた上皿１２とにより構成され、その内部には玉投出機構部１３が設けてある。この玉投出機構部１３は、制御部２５から貸球投出要求が与えられた場合、並びにパチンコ機１０による賞玉投出要求が与えられた場合に、それぞれパチンコ機１０の上皿１２に所定数のパチンコ玉を投出する部分である。
【００４８】
次に、図９を参照して、本実施の形態１におけるＢＶユニット部５０に対する解錠機構について説明する。図９は、紙幣の回収時におこなわれるロック（施錠）の解錠動作を説明する玉貸出処理機２０の斜視図を示している。
【００４９】
すなわち、図９に示すように、ＢＶロック機構部５３は、遊技店の管理者などが所持するリモコンによる操作（解錠指示信号の送信）に基づいて、ロック機構部５３によるロックが解錠する機構となっている。具体的には、管理者が玉貸出処理機２０のリモコン用受信部２４に向けて、リモコンの個別解錠キー９１（図１１参照）をＯＮ操作するとＢＶユニット部５０が玉貸出処理機２０の前方（図１０の矢印Ａ方向）に突出するとともに、紙幣収納部５１（図１０）が開口する機構となっている。これにより、紙幣収納部５１に収納された紙幣を回収するものとなる。
【００５０】
一方、ＢＶユニット部５０の装着（施錠）は、前方に突出した状態のＢＶユニット部５０を手で本体２１側（図１０の矢印Ｂ方向）に向けて、押し込むことにより、ＢＶロック機構部５３を作動させることができる。後述するように、ロック機構部５３の作動は、ソレノイド６０に対する通電のＯＮ／ＯＦＦによりおこなう。以下、図１０（ａ）（ｂ）を参照して、ＢＶロック機構部５３の詳細を説明する。
【００５１】
すなわち、図１０（ａ）に示すように、ＢＶロック機構部５３は、ソレノイド６０、ロックレバー６１、アンカー板７５、押圧板ばね７１とから構成されている。また、ＢＶユニット部５０の上下位置には、スライドレール７４が設けられているため、このＢＶユニット部５０はスライドレール７４に沿って、装着方向および取り出し方向に平行移動することができる。
【００５２】
アンカー板７５の上端部には押圧板ばね７１の基端部が取り付けられ、この押圧板ばね７１の先端部は、紙幣収納部５１を構成する筐体（ケース）の後端部に当接されている。
【００５３】
このため、常時、ＢＶユニット部５０は、押圧板ばね７１の弾力により、ＢＶユニット部５０が突出する方向（図１０のＡ方向）に向けて押圧されている。ロックレバー６１の先端部には、鉤部６２が形成されており、この鉤部６２は、アンカー板７１に形成された係合ピン７２と係合可能となっている。
【００５４】
また、引っ張りばね７３の一端（図１０の上側）は、アンカー板７１の上部に延出された取り付け部７１ａに、他端（図１０の下側）は、ロックレバー６１の基端部に取り付けられている。このため、ソレノイド６０のＯＦＦ時（非通電時）、ロックレバー６１は、引っ張りばね７３の弾力により支軸７８を支点として、時計方向に偏奇するため、この弾力によりロックレバー６１の鉤部６２とアンカー板７１の係合ピン６２とが係合し、これにより、ＢＶユニット部５０に対するロック（施錠）をおこなわれるものとなる。なお、ソレノイド６０に対する通電のＯＮ／ＯＦＦは、ＢＶユニット制御部５６による通電制御によりおこなわれる。
【００５５】
一方、図１０（ｂ）に示すように、ソレノイド６０のＯＮ時（通電時）には、このソレノイド６０の作動（ＯＮ）にともなって、引っ張りばね７３の弾力に抗して、ロックレバー６１の鉤部６２とアンカー板７１の係合ピン７２との係合が外れる。これにより、ＢＶユニット部５０は、押圧板ばね７１の押圧力により、スライドレール７４に沿って、図１０（ｂ）の矢印Ａ方向に向けて突出する。これにより、ＢＶユニット部５０に対する解錠をおこなうことができる。また、前述したように、ＢＶユニット部５０に対する施錠は、このＢＶユニット部５０を手により、図１０（ｂ）の矢印Ｂ方向に向けて、押し込むことにより容易におこなうことができる。
【００５６】
以上のように、本例のロック機構部５３の場合には、リモコンによる操作で簡単に解錠をおこなうことができ、ロック（施錠）は手動により容易におこなうことができるため、従来のように店員が解錠用の鍵などを持ち歩く必要がなくなるうえ、紙幣を島端などへ搬送する紙幣搬送機構や島端で紙幣を収納する紙幣収納金庫などが不要となり、コスト削減およびセキュリティの面で有効である。
【００５７】
次に、本発明の遊技媒体貸出システムにおいて適用されるリモコンの概要について説明する。図１１（ａ）は、遊技店の管理者などが所持する管理者用のリモコン、図１１（ｂ）は、一般の係員（店員）が所持するリモコンをそれぞれ示す外観図である。
【００５８】
このリモコンは、内部にＩＣ回路、近赤外線を送出する発光ダイオードなどを備えた無線式の遠隔操作装置であり、図１１（ａ）に示す管理者用のリモコンの筐体を構成する前面パネル部には、エラーの発生時に、リセット処理をおこなうリセットキー、個別の玉貸出処理機２０の解錠を対象とする個別解除キー９１、遊技店の島内に設けられた複数の玉貸出処理機２０の解錠を対象とする島解除キー９２、暗証番号を入力するためテンキー（０〜９）などが設けられている。リモコンの先端部には、リセット信号、解錠信号などを送出するための発振部が設けられている。なお、図１１（ｂ）に示した店員用のリモコンは、主に玉貸出処理機２０に発生したエラー表示などのリセット処理をおこなう際に使用される。
【００５９】
図１２は、本発明の遊技媒体貸出システムの基本制御手順を説明するフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）（５）閉店時設定工程（ステップＳＡ５００）の５つの処理工程により構成されている。先ず、これら（１）〜（５）の各制御工程についての概略を説明する。
【００６０】
（１）開店時設定工程
開店時設定工程は、管理サーバ２００により実行される遊技店における開店処理であり、第三者機関によって管理される中央管理装置１００および遊技店内の各玉貸出処理機２０に対して、開店通知が送信される処理工程である。
【００６１】
すなわち、玉貸出処理機２０および枠体３０のそれぞれには、予め個別の識別ＩＤ（玉貸出処理機の識別ＩＤ、枠体の枠体識別ＩＤ）が付与されており、これら２つの識別ＩＤは、玉貸出処理機２０の電源ＯＮ時、玉貸出処理機２０から管理サーバ２００に対して通信により通知されるとともに、これら各玉貸出処理機２０の識別ＩＤ、枠体の枠体識別ＩＤは、管理サーバ２００内に設けられた管理サーバデーターベース２１０内に自動的に登録される。以降、管理サーバ２００は、各玉貸出処理機２０からリアルタイム通信により、通知される売上情報を管理サーバデータベース２１０内に格納するとともに、紙幣の投入にともなって売上情報の更新をおこなう。
【００６２】
（２）オンライン制御工程（通常時）
オンライン制御工程は、遊技客によって玉貸出処理機２０に対して現金（紙幣）が投入された際、この玉貸出処理機２０からパチンコ機１０に対して、玉を貸し出す玉貸し出し命令を通知するとともに、投入された紙幣による売上情報を玉貸出処理機２０の識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間毎におこなうようにしてもよい。
【００６３】
（３）紙幣回収工程
紙幣回収工程は、遊技店の管理者が所持するリモコンの操作により玉貸出処理機２０に備えたＢＶユニット部５０の解錠をおこない、このＢＶユニット部５０の内部に収納されている紙幣を回収する処理工程であり、遊技店の営業時間内および閉店時に適宜おこなわれる。後述するように、実際の紙幣回収手順としては、管理サーバ２００に、玉貸出処理機２０に対する紙幣の回収指示を設定する紙幣回収指示設定部２３０を設け、この紙幣回収指示設定部２３０により各玉貸出処理機２０に対して紙幣の回収指示をおこなうとともに、紙幣収納部５１内に紙幣が有る玉貸出処理機２０のみを解錠対象とする。
【００６４】
（４）定期通信工程
定期通信工程は、遊技店の営業時間内において、管理サーバ２００と中央管理装置１００との間で実施される相互間の接続状態やエラーログなどを定期的に確認する処理工程である。
【００６５】
（５）閉店時設定工程
閉店時設定工程は、各玉貸出処理機２０から送信された売上情報を管理サーバ２００により集計し、集計データとして中央管理装置１００に対して送信する処理工程である。この際、管理サーバから閉店設定信号が中央管理装置１００および玉貸出処理機２０に対して送信される。
【００６６】
以下、図１３のフローチャートを参照して、本実施の形態１における全体制御処理手順を説明する。この図１３に示すフローチャートは、管理サーバ２００と玉貸出処理機２０との間でおこなわれる処理手順である。
【００６７】
図１３は、遊技媒体貸出システムにおけるオンライン制御工程（通常動作時）の詳細を示すフローチャートである。すなわち、遊技客により玉貸出処理機２０の紙幣投入口１５に紙幣（１０００円札）が投入されると（ステップＳ１００）、ＢＶユニット５０は、投入された紙幣の真偽を紙幣識別部５２により正常な紙幣か否かを判定する（ステップＳ１１０）。そして、ステップＳ１１０による判定により紙幣が不良紙幣と判定された場合には（ステップＳ１１０否定）、紙幣投入口１５を通じて返却する（ステップＳ１１５）。
【００６８】
一方、投入された紙幣が正常な紙幣と判定された場合には（ステップＳ１１０肯定）、この紙幣を紙幣収納部５１内に収納するとともに、次の、ステップＳ１２０による玉貸出し処理に移行する（ステップＳ１２０）。具体的には、パチンコ機１０の玉投出機構部１３（図８）に対して１０００円分の玉を投出するように指示を与える。
【００６９】
これにより、パチンコ機１０の上皿１２には、１０００円分の玉の投出がおこなわれ、遊技客による遊技が可能となる。以下、玉貸出処理機２０では、遊技客により投入された入金情報を売上情報として、この売上情報をメモリ２７内の売上情報記憶テーブル２８内に格納する（ステップＳ１３０）。
【００７０】
図１４（ａ）は、玉貸出処理機２０のメモリ２７内および枠体３０のメモリ３２内に備えられた売上情報記憶テーブル２８、３３の一例を示している。同図に示すように、売上情報記憶テーブル２８、３３は、各遊技店を個別に識別する遊技店コード、玉貸出処理機本体を特定する本体識別ＩＤ、枠体を特定する枠体識別ＩＤ、遊技台の番号、売上金額、取引時に設定される取引識別ＩＤという６項目のフィールドが設けられている。
【００７１】
すなわち、図１４（ａ）は、台番号１００番のパチンコ機１０で遊技をおこなう遊技客が玉貸出処理機２０（本体識別ＩＤ：ＸＸＸＸ１、枠体識別ＩＤ：ＹＹＹＹ１）に１０００円投入したときの売上情報記憶テーブル２８および台番号１０１番のパチンコ機１０で遊技をおこなう遊技客が玉貸出処理機２０（本体識別ＩＤ：ＸＸＸＸ２、枠体識別ＩＤ：ＹＹＹＹ２）に１０００円投入したときの売上情報記憶テーブル２８を示している。そして、これら各フィールドには、遊技客が玉貸出処理機２０に紙幣を投入する都度、記憶データとして格納され、売上情報記憶テーブル２８内の売上情報は、リアルタイムで管理サーバに通知される。
【００７２】
図１３のフローチャートに戻り、玉貸出処理機２０では、通信Ｉ／Ｆ２６を通じて管理サーバ２００に対して識別ＩＤに対応付けた売上情報の通知をおこなう（ステップＳ１４０）。一方、管理サーバ２００では、玉貸出処理機２０から売上情報の通知を受信し（ステップＳ１５０）、この売上情報を管理サーバデータベース２１０内に格納する（ステップＳ１５０）。次いで、同一の識別ＩＤがあるか否かの判定をおこない（ステップＳ１６０）、同一の識別ＩＤがある場合には（ステップＳ１６０肯定）、同一の識別ＩＤに関連付けて売上情報の更新をおこなう（ステップＳ１８０）。ステップＳ１６０の判定により、同一の識別ＩＤでない場合には、そのままステップＳ１９０の処理に移行する。
【００７３】
以下、ステップＳ１８０により更新および集計された売上情報は、管理サーバ２００から中継器３００を通じて中央管理装置１００に対して送信される（ステップＳ１９０）。中央管理装置１００では、管理サーバ２００から通知された各玉貸出処理機２０による売上情報に基づいて、遊技店の総売上情報の管理をおこなうものとなる。
【００７４】
図１４（ｂ）は、管理サーバ２００内に備えられた管理サーバデータベース２１０の一例を示している。同図に示すように、管理サーバデータベース２１０は、各遊技店を個別に識別する遊技店コード、取引時（紙幣投入時）の日付を示す取引日付、玉貸出処理機本体を特定する本体識別ＩＤ、枠体を特定する枠体識別ＩＤ、遊技台の番号、売上金額、取引時に設定される取引識別ＩＤという７項目のフィールドが設けられている。
【００７５】
この管理サーバデータベース２１０の各フィールドのうち売上金額は、玉貸出処理機２０から通知される識別ＩＤに関連付けられた売上情報に基づいて、照合がおこなわれるとともに、更新処理により更新された売上情報（金額）がリアルタイム通信により中央管理装置１００に送信される。
【００７６】
再度、図１３のフローチャートに戻り、処理手順を説明する。すなわち、ステップＳ２００において、管理サーバ２００により紙幣の回収指示設定が有るか否かの判定をおこない（ステップＳ２００）、この紙幣回収指示が設定される場合には（ステップＳ２００肯定）、紙幣回収処理に移行する（ステップＳ２１０）。一方、ステップＳ２００の判定により紙幣回収指示設定がない場合には（ステップＳ２００否定）、そのまま処理工程は終了する（エンド）。
【００７７】
図１５は、図１３に示した紙幣回収処理工程を説明するフローチャートである。通常、この紙幣回収処理における紙幣回収指示設定は、遊技店の閉店時などにおこなわれ、この紙幣回収指示設定部２３０による回収指示の設定は遊技店の管理者などによりおこなわれる。
【００７８】
前述したように、本実施の形態１の特徴は、管理サーバ２００に、玉貸出処理機２０に対する紙幣の回収指示を設定する紙幣回収指示設定部２３０（図３）を設け、この紙幣回収指示設定部２３０により各玉貸出処理機２０に対して紙幣の回収指示をおこなうとともに、ＢＶユニット部５０の紙幣収納部５１内に紙幣が有る玉貸出処理機２０のみを解錠対象とすることにある。
【００７９】
すなわち、図１５のフローチャートに示すように、先ず、紙幣の回収指示が有るか否かの判定をおこなう（ステップＳ３００）。このステップＳ３００による判定は、紙幣回収指示設定部２３０による設定の有無を判定するものである。以下、図１６および図１７を参照して、管理サーバ２００における紙幣回収指示設定部２３０の詳細を説明する。なお、以下の例では、管理サーバ２００の表示部２１６（モニタ）による画面設定（ソフト処理設定）により、ＢＶユニット部５０の解錠対象となる玉貸出処理機２０を任意に設定する例を説明する。
【００８０】
図１６は、管理サーバ２００の表示部２１６（モニタ）に表示されるメニュー画面４００を示しており、本例では、メニュー画面４００に表示される「紙幣回収指示設定」を選択（マウスによりクリック）し、Ｅｎｔｅｒキー５００を押下（ＯＮ）することにより、図１７に示す紙幣回収指示設定画面４１０の表示に移行し、この紙幣回収設定画面４１０により紙幣回収指示の設定が可能となる。
【００８１】
図１７に示すように、紙幣回収指示設定画面４１０には、一部解錠設定キー４２０と全台解錠設定キー４３０とが設けられている。前述したように、この一部解錠設定キー４２０は、紙幣収納部５１内に紙幣が有る玉貸出処理機２０のみを解錠対象とする設定である。また、全台解錠設定キー４３０は、紙幣収納部５１内に収納される紙幣の有無に関係なく、玉貸出処理機２０全台に対する解錠を通知する設定である。これら各部の設定は、各解錠設定部４２０、４３０の選択後、Ｅｎｔｅｒキー５００の押下（ＯＮ）により設定することができる。
【００８２】
再度、図１５のフローチャートに戻り、以下、処理手順の詳細を説明する。すなわち、前述した、ステップＳ３００の判定により、紙幣回収指示設定部２３０による設定が有る場合（ステップＳ３００肯定）、次のステップＳ３１０に移行し、紙幣回収指示設定部２３０による設定が一部解錠設定キー４２０の押下（ＯＮ）である場合には（ステップＳ３１０肯定）、管理サーバ２００から各玉貸出処理機２０に対して、一部解錠通知の送信がおこなわれる（ステップＳ３２０）。後述するように、この一部解錠通知は、紙幣の回収にともない、紙幣収納部５１内に紙幣が有るＢＶユニット５０のみを解錠対象とし、ＢＶロック機構５３を解錠する旨を指示する解錠信号である。
【００８３】
一方、玉貸出処理機２０は、管理サーバ２００から送信された一部解錠指示通知を受信すると（ステップＳ３３０）、次いで、紙幣検知センサ５４の検知結果に基づいて、紙幣収納部５１内に紙幣が有るか否かの判定をおこなう（ステップＳ３４０）。前述したように、この紙幣有無の判定は、紙幣検知センサ５４の検知結果に基づいて紙幣有無判定部５５によりおこなわれる。
【００８４】
そして、ステップＳ３４０の判定により、紙幣収納部５１内に紙幣が有ると判定された場合には、ＢＶユニット制御部５６からＢＶロック機構部５３に対して、ロックの解錠許可通知が送信され（ステップＳ３５０）、以下、解錠許可通知が送信された複数の玉貸出処理機２０に対する解錠がおこなわれる（ステップＳ３６０）。
【００８５】
以上のステップＳ３１０〜ステップＳ３６０の処理により、複数の玉貸出処理機２０のうち、紙幣収納部５１内に紙幣が収納されているＢＶユニット部５０だけを対象とする解錠をおこなうことができる。
【００８６】
一方、ステップＳ３１０の判定により一部解錠設定でない場合（ステップＳ３１０否定）、次のステップＳ３４５の処理に移行し、全台解錠設定キー４３０の押下（ＯＮ）が有るかの判定により（ステップＳ３４５）、全台解錠設定キー４３０のの押下（ＯＮ）が有ると判定された場合には（ステップＳ３４５肯定）、管理サーバ２００から各玉貸出処理機２０に対して全台解錠通知が送信されるとともに、複数の玉貸出処理機２０全台に対してＢＶユニット制御部５６により紙幣ロック機構部５３に対してロック解錠通知が送信される（ステップＳ３５０）。以下、一部解錠設定と同様に、解錠許可通知が送信された玉貸出処理機２０の全台に対する解錠がおこなわれる（ステップＳ３６０）。
【００８７】
ここで、上述した実施の形態１では、管理サーバ２００に備えた紙幣回収指示設定部２３０により各玉貸出処理機２０のＢＶユニット部５０に対する解錠通知を送信するようにしているが、この紙幣回収指示設定部２３０は、リモコンによる操作機能として備えることもできる。
【００８８】
具体的な例で説明すると、図１１（ａ）に示す管理者用のリモコンにおいて、一部解錠設定は、個別解錠キー９１の押下（ＯＮ）により、また、全台解錠設定は、島解錠キー９２の押下（ＯＮ）により、それぞれおこなうことができる。
【００８９】
ここで、リモコンの個別解錠キー９１を押下（ＯＮ）した場合、玉貸出処理機２０は、このリモコンから個別解錠通知を受信すると、紙幣検知センサ５４による検知結果に基づいて、紙幣収納部５１内に紙幣が有る玉貸出処理機２０のみを解錠する。また、リモコンの島解錠キー９２を押下（ＯＮ）した場合、玉貸出処理機２０は、このリモコンから島解錠通知を受信すると、島内の複数の玉貸出処理機２０全台を対象とする解錠をおこなうことができる。以下、図１８を参照してリモコンによる解錠手順について説明する。
【００９０】
図１８のフローチャートは、リモコンを利用した遊技店の営業時におこなう紙幣回収処理を示している。以下のフローチャートに示すように、遊技店の営業時に紙幣を回収する場合、ＢＶユニット部５０に対する解錠をリモコンにより１台毎個別におこなうことができる。すなわち、管理者などによるリモコン操作（個別解錠キー９１の押下）が実行された場合（ステップＳ４００）、玉貸出処理機２０は、このリモコンから送信された一部解錠通知を受信すると、紙幣検知センサ５４による検知結果に基づいて、紙幣収納部５１内に紙幣が有るか否かの判定をおこなう（ステップＳ４１０）。
【００９１】
そして、ステップＳ４１０の判定により、紙幣収納部５１内に紙幣が有ると判定された場合（ステップＳ４１０肯定）、次いで、紙幣収納部５１内に収納された紙幣の収納枚数が所定の収納枚数に到達（フル状態）しているかの判定をおこなう（ステップＳ４２０）。このステップＳ４２０の判定により、紙幣の収納枚数が所定の枚数に達している場合（ステップＳ４２０肯定）、この玉貸出処理機２０のＢＶユニット部５０は解錠対象となり解錠がおこなわれるものとなる（ステップＳ４３０）。
【００９２】
ここで、前記ステップＳ４２０による処理は、紙幣枚数検知センサ５７（図８）により、紙幣収納部５１内に収納された紙幣の収納枚数がフル状態であるか否かを検知する処理である。このため、収納枚数に関係無く無条件で紙幣の回収を実施する遊技店では、このステップＳ４２０をスキップするように設定されており、紙幣収納部５１内に紙幣が有るＢＶユニット部５０は、リモコンによる操作で即座に解錠することができる。
【００９３】
一方、ステップＳ４１０の判定により、紙幣収納部５１内に紙幣が収納されていないと判定された場合（ステップＳ４１０否定）、この玉貸出処理機２０に対する解錠は禁止（ＮＧ）となる（ステップＳ４４０）。
【００９４】
ここで、紙幣検知センサ５４により検知された、紙幣の有無を玉貸出処理機２０の表示ランプ部２２に表示するようにしてもよい。この場合、表示ランプ部２２による表示に基づいて、紙幣の有無を容易且つ確実に判断することができるうえ、紙幣が有る旨を表示している玉貸出処理機２０を対象として、リモコンによる解錠操作（一部解錠設定）をおこなうこともでき、これにより、紙幣回収時における作業時間の短縮化を図ることができる。
【００９５】
また、紙幣枚数検知センサ５７により、玉貸出処理機２０の表示ランプ部２２に、紙幣収納部５１内の紙幣が所定枚数まで到達したことを報知する表示（フルストック表示）或いは、紙幣収納部５１内の紙幣が所定枚数近くまで到達したことを報知する表示（ニアフルストック表示）などを表示するようにしてもよい。この場合、遊技店の管理者は、「フルストック表示」或いは「ニアストック表示」が点灯している玉貸出処理機２０に向けてリモコンを操作することにより、紙幣収納部５１内に所定枚数収納されている玉貸出処理機２０を選択して解錠作業をおこなうことができ、これによって紙幣回収作業の効率および利便性をより向上することができる。なお、特に紙幣枚数検知センサ５７を別に設けることなく、紙幣検知センサ５４に紙幣枚数検知センサと同様の紙幣枚数判定機能を備えるようにしてもよい。
【００９６】
以上のように、本実施の形態１によれば、管理サーバ２００に、玉貸出処理機２０に対する紙幣の回収指示を設定する紙幣回収指示設定部２３０を設け、この紙幣回収指示設定部２３０により玉貸出処理機２０に対して紙幣の回収指示をおこなうとともに、紙幣収納部５１内に紙幣が有る玉貸出処理機２０のみを解錠対象とするので、紙幣収納部５１内に紙幣が無い玉貸出処理機２０は解錠することはなく、ＢＶユニット部５０の施錠作業も必要ないため、閉店時における紙幣の回収作業を効率良くおこなうことができる。
【００９７】
さらには、リモコンを用いて解錠操作をおこなえば、解錠しようとする玉貸処理機２０の前に立って、直接指示を与えることができるので、解錠の対象となる玉貸処理機２０を取り違えることなく、解錠操作をおこなって、即座に紙幣を回収できるので安全性を高めることができる。
【００９８】
また、紙幣の収納状態（紙幣の有無、所定枚数の収納）に応じて、適宜リモコンによる解錠操作を有効とすることができるため、紙幣回収作業の効率および利便性をより向上することが可能となる。
【００９９】
（実施の形態２）
次に、本実施の形態２に係る遊技媒体貸出システムについて説明する。図１９は、実施の形態２に係る遊技媒体貸出システム概略構成を示す機能ブロック図である。上記実施の形態１では、管理サーバ２００に、玉貸出処理機２０に対する紙幣の回収指示を設定する紙幣回収指示設定部２３０を設けているが、本実施の形態２は、複数のパチンコ機１０が配設された島内の端部に島操作装置５００を据置し、この島操作装置５００に紙幣回収指示を設定する紙幣回収指示設定機能を備えた点に特徴がある。
【０１００】
すなわち、図１９に示すように、島操作装置５００は、一部解錠設定ボタン５１０、全台解錠設定ボタン５２０、制御部５３０、通信Ｉ／Ｆ５４０とを備えており、一部解錠設定ボタン５２０および全台解錠設定ボタン５３０が紙幣の回収指示（紙幣回収要求）を設定する機能および玉貸出処理機２０に対して、紙幣回収指示通知（解錠指示通知）を送信する制御機能を備えている。また、本例では、島操作装置５００と複数の玉貸出処理機２０との接続は、専用ケーブルによる有線接続などを採用することができる。
【０１０１】
一部解錠設定ボタン５１０は、複数の玉貸出処理機２０のうち紙幣が有るＢＶユニット部５０を解錠対象として設定する機能を備えている。全台解錠設定ボタン５２０は、複数の玉貸出処理機２０全台を解錠対象としてを設定する機能を備えている。
【０１０２】
次に、本実施の形態２に係る紙幣回収指示設定の処理手順を説明する。図２０は、紙幣回収処理手順を説明するフローチャートである。すなわち、同図に示すように、島操作装置５００において、一部解錠設定ボタン５１０が押下（ＯＮ）されたと判定された場合には（ステップＳ５００）、この一部解錠設定ボタン５１０の押下（ＯＮ）により、玉貸出処理機２０に対して一部解錠指示通知が送信される（ステップＳ５１０）。
【０１０３】
一方、玉貸出処理機２０では、島操作装置５００から送信された一部解錠指示通知を受信すると（ステップＳ５１２）、次の、ステップＳ５３０により紙幣収納部５１内に紙幣が有るか否かの判定をおこなう（ステップＳ５３０）。
【０１０４】
そして、ステップＳ５３０の判定により、紙幣収納部５１の内部に紙幣が有ると判定された場合には（ステップＳ５３０肯定）、紙幣が有ると判定された玉貸出処理機２０のＢＶユニット制御部５６により、ロック機構部５３に対してロック解錠通知が送信される（ステップＳ５４０）。以下、ＢＶユニット制御部５６は、ロック機構部５３によるロックの解錠により、紙幣の回収が可能となる。
【０１０５】
一方、一部解錠ボタン５１０の押下（ＯＮ）がない場合（ステップＳ５００否定）は、次のステップＳ５１５に移行し、全台解錠ボタン５２０が押下（ＯＮ）が有るかの判定により（ステップＳ５１５）、全台解錠ボタン５２０が押下（ＯＮ）されたと判定された場合には（ステップＳ５１５肯定）、この全台解錠設定ボタン５２０の押下（ＯＮ）により、玉貸出処理機２０に対して全台解錠通知が送信される（ステップＳ５２０）。以下、解錠許可通知の送信（ステップＳ５４０）により複数の玉貸出処理機２０全台に対する解錠がおこなわれる（ステップＳ５５０）。
【０１０６】
上述してきたように、本実施の形態２によれば、複数のパチンコ機１０が配設された島内の端部に島操作装置５００を据置し、この操作装置５００に紙幣回収指示を設定する紙幣回収指示設定機能を備えたので、前記実施の形態１と同様に、紙幣収納部５１内に紙幣が無い玉貸出処理機２０は解錠することはなく、施錠する作業も省略できるため、閉店時における紙幣の回収作業を効率良くおこなうことができる。さらには、パチンコ島の端部に配置される島操作装置５００を用いて操作するため、回収すべき玉貸処理機２０の近傍から操作できることから、誤ったパチンコ島の玉貸処理機２０に対して解錠指示を通知する可能性を低くすることができるうえ、解錠指示を通知してから即座に紙幣の回収動作をおこなえるという効果を見込むことができる。
【０１０７】
なお、上述した実施の形態１、２では、本発明に係る遊技媒体貸出システムをパチンコ遊技に適用した場合を示しているが、本発明は、パチンコ遊技に限定することなくパチスロ機による遊技システムにも好適に適用することができる。具体的には、パチスロ機によるメダル貸出機に備えられる紙幣収納部の回収扉に対する解錠制御システムとして、本発明を適用することができる。
【０１０８】
さらに、上述した実施の形態１、２では、パチンコ機の内部から玉が投出される（所謂、ＣＲ機方式）について説明したが、本発明はこれに限定されるものではなく、玉貸出処理機からノズルを介して玉が投出される方式にも本発明は好適に適用することができる。さらには、上述した実施の形態１、２において説明した紙幣のみを受けつける玉貸処理機だけではなく、カード（プリペイドカード、会員カードなど）と紙幣の両方を受け付けることができ、少なくとも紙幣が機内に収納されるタイプのカード処理機に適用することができる。
【０１０９】
【発明の効果】
以上説明したように、請求項１に記載の発明によれば、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠を許容する解錠制御手段とを備えるので、紙幣収納ユニット内に紙幣が有る紙幣収納ユニットを対象として解錠をおこなうことから、余分な解錠および施錠作業が無くなるうえ、紙幣回収作業効率の向上を実現できるという効果を奏する。
【０１１０】
また、請求項２に記載の発明によれば、複数の遊技機に並設されるとともに、紙幣の受け入れにより、当該遊技機に対する遊技媒体の貸し出し処理をおこなう貸出処理機と前記紙幣による入金情報を売上金額として取得する管理装置を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記管理装置は、前記貸出処理機に対して、前記紙幣の回収にともなう、前記ロック機構部に対する解錠指示を設定する紙幣回収指示設定手段を備えるので、紙幣収納ユニット内に紙幣が有る紙幣収納ユニットを対象として解錠をおこなうことから、余分な解錠および施錠作業が無くなるうえ、紙幣回収作業効率の向上を実現できるという効果を奏する。また、上位の管理装置から貸出処理機に対して、解錠指示を与えることができるので、一括管理が可能となり操作が容易となるという効果を奏する。
【０１１１】
また、請求項３に記載の発明によれば、遊技島を形成する複数の遊技機に並設されるとともに、紙幣の受け入れにより、当該遊技機に対する遊技媒体の貸し出し処理をおこなう貸出処理機と、遊技島内に配置されて当該遊技島に設置される前記貸出処理機と通信可能に接続される島操作装置とを備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記島操作装置は、前記貸出処理機に対して、前記紙幣の回収にともなう、前記ロック機構部に対する解錠指示を設定する紙幣回収指示設定手段を備えるので、余分な解錠および施錠作業が無くなるうえ、紙幣回収作業効率の向上を実現できるという効果を奏する。また、島操作装置から解錠指示を貸出処理機に対して与えるので、その遊技島（パチンコ島）に属する貸出処理機の一括管理および一括操作が可能となるとともに、各貸出処理機に目が届く位置から紙幣の回収指示を与えることができることから、安全性を向上できるという効果を奏する。
【０１１２】
また、請求項４に記載の発明によれば、遊技島を形成する複数の遊技機に並設されるとともに、紙幣の受け入れにより、当該遊技機に対する遊技媒体の貸し出し処理をおこなう貸出処理機と、前記貸出処理機と通信可能な無線式の遠隔操作装置を備えた遊技媒体貸出システムにおいて、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記紙幣収納ユニット内に収納される紙幣の有無を検知する紙幣有無検知手段と、前記紙幣収納ユニットを取り出し阻止状態に施錠するロック機構部と、解錠指示を受けると、前記紙幣有無検知手段が紙幣有りを検知していることを条件に、前記ロック機構部によって施錠された前記紙幣収納ユニットの解錠をおこなう解錠制御手段とを備え、前記遠隔操作装置は、前記貸出処理機に対して、前記紙幣の回収にともなう、前記ロック機構部に対する解錠指示を設定する紙幣回収指示設定手段を備えるので、余分な解錠および施錠作業が無くなるうえ、紙幣回収作業効率の向上を実現できるという効果を奏する。また、遠隔操作装置（リモコン）から指示を与えるので、操作者が対象とする貸出処理機の前に立って操作をおこなえるので、貸出処理機の取り違えが生じ難いうえ、紙幣の回収指示を与えて即座に紙幣を回収できるため、安全であるという効果を奏する。
【０１１３】
また、請求項５に記載の発明によれば、前記紙幣回収指示設定手段は、前記複数の貸出処理機のうち、前記紙幣有無検知手段により紙幣収納ユニット内に紙幣が有ると検知された貸出処理機のみを解錠対象とする一部解錠設定手段と、複数の貸出処理機全台を解錠対象とする全台解錠設定手段とを備えるので、一部解錠設定時には、紙幣収納部に紙幣が有る貸出処理機のみを選定する解錠をおこなうことができるため、紙幣収納部内に紙幣の無い貸出処理機の解錠および施錠を必要とせず、これにより、紙幣回収作業の効率を向上することができるという効果を奏する。
【０１１４】
また、全台解錠設定時には、紙幣収納部に紙幣が有る無しに係わらず、貸出処理機全台を対象とする解錠をおこなうことができるため、玉貸出処理機の点検時や紙幣識別部のクリーニング作業時（磁気ヘッド、搬送ローラなどのクリーニング）など、点検時の作業効率の向上を図ることができるという効果を奏する。
【０１１５】
また、請求項６に記載の発明によれば、前記紙幣収納ユニットに収納された紙幣の収納枚数を検知する収納枚数判定手段をさらに備え、当該収納枚数判定手段により検知された収納枚数に基づいて、前記解錠制御手段による解錠機能が有効となり、前記ロック機構部による解錠が実行されるので、紙幣収納部内に紙幣の無い貸出処理機の解錠および施錠を必要とせず、これにより、紙幣回収作業の効率を向上することができるという効果を奏する。
【０１１６】
また、全台解錠設定時には、紙幣収納部に紙幣が有る無しに係わらず、貸出処理機全台を対象とする解錠をおこなうことができるため、玉貸出処理機の点検時や紙幣識別部のクリーニング作業時（磁気ヘッド、搬送ローラなどのクリーニング）など、点検時の作業効率の向上を図ることができるという効果を奏する。
【０１１７】
また、請求項７に記載の発明によれば、前記紙幣有無検知手段により検知された紙幣の有無を報知する表示手段をさらに備えるので、紙幣の有無は、表示手段による表示により報知されることから、この表示手段による表示に基づいて、紙幣の有無を容易且つ確実に判断することができるうえ、この確認に基づいて、確実に解錠をおこなうことができるという効果を奏する。
【０１１８】
また、紙幣収納部内に紙幣が有る旨を表示している玉貸出処理機を対象として、リモコンによる解錠操作をおこなうこともでき、これにより、紙幣回収時における作業時間の短縮化を図ることができるという効果を奏する。
【図面の簡単な説明】
【図１】本発明の実施の形態１に係る遊技媒体貸出システムの概要を示す説明図である。
【図２】本発明の実施の形態１に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸出処理機およびパチンコ機の外観正面図である。
【図６】図５に示した玉貸出処理機を示す側面図である。
【図７】図５に示した玉貸出処理機と枠体との分離状態を示す図である。
【図８】実施の形態１に係る玉貸出処理機の概略構成を示す機能ブロック図である。
【図９】玉貸出処理機本体に対してのＢＶユニット部を突出させた状態を示す斜見図である。
【図１０】（ａ）は、ＢＶロック機構部のロック状態を、（ｂ）は、ロック解錠状態をそれぞれ示す概略説明図である。
【図１１】（ａ）は、管理者用のリモコン、（ｂ）は、一般の店員用のリモコンをそれぞれ示す外観図である。
【図１２】実施の形態１における遊技媒体貸出システムの基本処理手順を示すフローチャートである。
【図１３】実施の形態１における遊技媒体貸出システムの全体処理手順を示すフローチャートである。
【図１４】（ａ）は、売上情報記憶テーブルの構成を、（ｂ）は、管理サーバデータベースの構成をそれぞれ示す図である。
【図１５】図１３に示した紙幣回収処理手順を示すフローチャートである。
【図１６】管理サーバの表示部（モニタ）によるメニュー画面を示す図である
【図１７】紙幣回収指示設定画面を示す概要図である。
【図１８】実施の形態１に係る媒体貸出システムを示すフローチャートである（遊技店の営業中）。
【図１９】本発明の実施の形態２に係る遊技媒体貸出システムの概略構成を示す機能ブロック図である。
【図２０】実施の形態２における遊技媒体貸出システムの全体処理手順を示すフローチャートである。
【符号の説明】
１０  パチンコ機
１５  紙幣挿入口
２０  玉貸出処理機
２２  表示ランプ部
２３  表示部
２４  リモコン用受光部
２５、２１５、５３０  制御部
２６、２９、１３０、２２０、５４０  通信Ｉ／Ｆ
２７、３２  メモリ
３０  枠体
３１  ジョイント基板
３３  売上情報記憶テーブル
５０  ＢＶユニット部
５１  紙幣収納部
５２  紙幣識別部
５３  ＢＶロック機構部
５４  紙幣検知センサ
５５  紙幣有無判定部
５６  ＢＶユニット制御部
５７  収納枚数検知センサ
７０  玉貸制御部
８０  電源部
１００  中央管理装置
１１０  中央管理制御部
１１５、２１６  表示部
１２０  遊技店管理データベース
２００  管理サーバ
２１０  管理サーバデータベース
２３０  紙幣回収指示設定部
３００  中継器
４００  メニュー画面
４１０  紙幣回収指示設定画面
４２０  一部解錠設定キー
４３０  全台解錠設定キー
５００  島操作装置
５１０  一部解錠設定ボタン
５２０  全台解錠設定ボタン
【図１】
2005013617.tif 000003
【図２】
2005013617.tif 000004
【図３】
2005013617.tif 000005
【図４】
2005013617.tif 000006
【図５】
2005013617.tif 000007
【図６】
2005013617.tif 000008
【図７】
2005013617.tif 000009
【図８】
2005013617.tif 000010
【図９】
2005013617.tif 000011
【図１０】
2005013617.tif 000012
【図１１】
2005013617.tif 000013
【図１２】
2005013617.tif 000014
【図１３】
2005013617.tif 000015
【図１４】
2005013617.tif 000016
【図１５】
2005013617.tif 000017
【図１６】
2005013617.tif 000018
【図１７】
2005013617.tif 000019
【図１８】
2005013617.tif 000020
【図１９】
2005013617.tif 000021
【図２０】
2005013617.tif 000022